(57)【要約】【課題】配管用ブロックや基礎ブロックとして兼用することが可能なゴム製支持ブロックを提供する。【解決手段】ゴム材にてブロック体１を形成する。ブロック体１の上面にチャンネル材Ｐを水平に嵌入する水平凹部２を形成する。ブロック体１の上面にチャンネル材Ｐを垂直に嵌入する垂直凹部３を形成する。用途に応じて水平凹部２と垂直凹部３とを選択可能に構成する。ブロック体１の上面にチャンネル材Ｐを水平又は垂直に設置する。【選択図】  図１
2018179179.tif 000002
【特許請求の範囲】
【請求項１】
エラストマー系のゴム材にて形成されたブロック体の上面にリップ溝型鋼製のチャンネル材Ｐを設置するように構成したゴム製支持ブロックであって、チャンネル材を水平に嵌入する水平凹部と、チャンネル材を垂直に嵌入する垂直凹部とをブロック体の上面に形成し、水平凹部又は垂直凹部を選択してチャンネル材を嵌入することで配管用ブロック又は基礎ブロックを構成することを特徴とするゴム製支持ブロック。
【請求項２】
前記水平凹部の底部に、前記チャンネル材の底部をネジ止めする固定ボルトを設け、該固定ボルトで前記チャンネル材を前記ブロック体にネジ止めするように構成した請求項１記載のゴム製支持ブロック。
【請求項３】
前記チャンネル材は、側面又は底面のいずれか一方若しくは両方に係合孔が形成され、該係合孔に強制嵌合する嵌合突起を前記水平凹部内に突設した請求項１記載のゴム製支持ブロック。
【請求項４】
前記垂直凹部は、前記水平凹部の底部から更に垂直に凹設され、前記チャンネル材のリップ部側から前記水平凹部に固定する側面Ｌ形のアングル材と、該アングル材を前記チャンネル材のリップ部に装着する止め具と、チャンネル材を水平凹部の底部にネジ止めする固定ボルトとを設け、アングル材を介して前記垂直凹部に嵌入した前記チャンネル材をブロック体に固定するように構成した請求項１記載のゴム製支持ブロック。
【発明の詳細な説明】
【技術分野】
【０００１】
本発明は、エラストマー系のゴム材にて形成されるゴム製支持ブロックに係り、配管用ブロックや基礎ブロックとして兼用することが可能で、しかも衝撃や凍結融解による破損を防止することができるゴム製支持ブロックに関するものである。
【背景技術】
【０００２】
屋上に冷媒管等の配管を設置する場合、モルタル製ブロックの上面にチャンネル材を装着した配管用ブロックが使用されている。すなわち、配管用ブロック上のチャンネル材に配管を載置しこの配管とチャンネル材とを連結金具で連結するものである。このとき、配管を設置する高さや幅などを現場の状況に応じて調整する必要がある。この場合、従来では高さや長さが異なる複数種類の配管用ブロックから現場に適した配管用ブロックを選択して調整していた。
【０００３】
更に、配管を設置する高さが配管用ブロックより高い位置になる場合は、配管設置用の架台を設置し、この架台に配管を設置する場合もある。この架台は、モルタル製の基礎ブロック上に架台の柱となるチャンネル材を垂直に固定し、このチャンネル材に別のチャンネル材を水平に連結して配管を設置する構造である。そのため、従来の配管設置用の工事では、多くの種類の配管用ブロックや基礎ブロックを選択して使用する必要があった。
【０００４】
一方、高さを調整できるようにした配管用ブロックが特許文献１、２に記載されている。特許文献１に記載の配管用ブロックは、ブロックの内部に高さ調整材と称するボルトを埋設したものである。そして、ブロック内のボルトの高さを調整することで配管の支持高さを調整するものである。
【０００５】
特許文献２に記載の配管用ブロックは、モルタル製のブロックに代えて鋼製の角パイプを使用するものである。そして、この角パイプの上面に立設した支持ボルトでチャンネル材を支持する構成を採用している。このように、鋼製の角パイプや支持ボルトを使用することで、配線・配管用ブロックの高さ変更が可能になり、従来のモルタル製のブロックのようにチャンネル材を埋設して成形する手間やコストを省略できるというものである。
【先行技術文献】
【特許文献】
【０００６】
【特許文献１】特開２００３-１４８６５７号公報
【特許文献２】実開平７-２２１９１号公報
【発明の概要】
【発明が解決しようとする課題】
【０００７】
ところが、特許文献１や特許文献２に記載の配管用ブロックは、いずれも配管ブロックの高さを調整することは可能になっているが、調整可能な高さや調整後の配管支持力に多くの課題を残すものであった。
【０００８】
すなわち、特許文献１の配管用ブロックは、屋上面にうねりや凹凸が生じているような場合に高さを調整してブロック上の配管を水平設置することは可能になっていても、配管の支持高さを大きく変更することはできない構成であった。
【０００９】
一方、特許文献２に記載の配管用ブロックは、高さ調整用の支持ボルトの長さを変えることで支持高さを自由に変更することができる構成である。ところが、チャンネル材に固定する配管の荷重がこの支持ボルトに集中する構造なので、支持ボルトが変形したり断裂したりするおそれがある。したがって、調整後の配管支持力に課題があった。
【００１０】
このように、従来の高さ調整可能な配管用ブロックは、高さ変更可能な範囲が制限され、あるいは配管の支持力に課題が残されている。
【００１１】
しかも、モルタル製の配管用ブロックは、雨水等で濡れた後に凍結すると、内部で膨張してブロックが破壊される虞がある。更に、このモルタル製のブロックは、衝撃に弱く、屋上などを防水処理する塗膜材に傷を付ける虞もあった。
【００１２】
そこで、本発明は上述の課題を解消し、配管の支持力を保ちながら配管の支持高さを自由に調整できるようにすることで、配管用ブロックや基礎ブロックとして兼用することが可能になり、しかも衝撃や凍結融解による破損を防止することができるゴム製支持ブロックの提供を目的とする。
【課題を解決するための手段】
【００１３】
上述の目的を達成すべく本発明における第１の手段は、エラストマー系のゴム材にて形成されたブロック体１の上面にリップ溝型鋼製のチャンネル材Ｐを設置するように構成した支持ブロックであって、
チャンネル材Ｐを水平に嵌入する水平凹部２と、チャンネル材Ｐを垂直に嵌入する垂直凹部３とをブロック体１の上面に形成し、
水平凹部２又は垂直凹部３を選択してチャンネル材Ｐを嵌入することで配管用ブロック又は基礎ブロックを構成するものである。
【００１４】
第２の手段は、前記水平凹部２の底部に前記チャンネル材Ｐの底部をネジ止めする固定ボルト１０を設け、該固定ボルト１０で前記チャンネル材Ｐを前記ブロック体１にネジ止めするように構成している。
【００１５】
第３の手段において、前記チャンネル材Ｐは、側面又は底面のいずれか一方若しくは両方に係合孔Ｐ２が形成され、該係合孔Ｐ２に強制嵌合する嵌合突起２Ａを前記水平凹部２内に突設したものである。
【００１６】
第４の手段において、前記垂直凹部３は、前記水平凹部２の底部から更に垂直に凹設され、前記チャンネル材Ｐのリップ部Ｐ１側から前記水平凹部２に固定する側面Ｌ形のアングル材２０と、
該アングル材２０を前記チャンネル材Ｐのリップ部Ｐ１に装着する止め具３０と、チャンネル材Ｐを水平凹部２の底部にネジ止めする固定ボルト１０とを設け、アングル材２０を介して前記垂直凹部３に嵌入した前記チャンネル材Ｐをブロック体１に固定するように構成したものである。
【発明の効果】
【００１７】
本発明の請求項１のごとく、チャンネル材Ｐを水平に嵌入する水平凹部２と、チャンネル材Ｐを垂直に嵌入する垂直凹部３とをブロック体１の上面に形成し、水平凹部２又は垂直凹部３を選択してチャンネル材Ｐを嵌入することで配管用ブロック又は基礎ブロックを構成することで、一つのブロック材を配管用ブロックや基礎ブロックとして兼用することができる。
【００１８】
しかも、ブロック体１をエラストマー系のゴム材にて形成しているので、水平凹部２や垂直凹部３にチャンネル材Ｐを嵌入するだけで、チャンネル材Ｐが安定する。しかも、エラストマー系のゴム材は、モルタル等のように吸水しないので、凍結融解による破損を防止することができる。更に、ゴム材特有の弾性力により屋上の防水塗膜を傷付けるおそれも解消した。
【００１９】
請求項２のように、水平凹部２の底部にチャンネル材Ｐの底部をネジ止めする固定ボルト１０を設け、該固定ボルト１０でチャンネル材Ｐをブロック体１にネジ止めするように構成しているので、チャンネル材Ｐを水平凹部２に強固に固定することができる。この結果、配管を横引きに設置する際に好適な配管用ブロックとして強固に固定することができる。
【００２０】
請求項３のように、チャンネル材Ｐの係合孔Ｐ２に強制嵌合する嵌合突起２Ａを水平凹部２内に突設することで、水平凹部２にチャンネル材Ｐを嵌入するだけの操作でチャンネル材Ｐを固定することが可能になる。この結果、ブロック体１の取り扱いをより簡略化することができる。
【００２１】
請求項４のごとく、前記垂直凹部３は、アングル材２０を介して前記垂直凹部３に嵌入した前記チャンネル材Ｐをブロック体１に固定するように構成したことで、チャンネル材Ｐを垂直凹部３に強固に固定することができる。したがって、配管設置用の架台の基礎ブロックの支持強度を高めることができる。
【図面の簡単な説明】
【００２２】
【図１】本発明を配管ブロックとして使用する際の分解斜視図である。
【図２】本発明を配管ブロックとして使用する際の斜視図である。
【図３】本発明を配管ブロックとして使用する際の縦断面図である。
【図４】本発明を基礎ブロックとして使用する際の斜視図である。
【図５】本発明の他の使用例を示す斜視図である。
【図６】本発明の他の実施例を示す縦断面図である。
【図７】本発明の他の実施例を示す縦断面図である。
【図８】本発明を基礎ブロックとして使用する際の分解斜視図である。
【図９】本発明を基礎ブロックとして使用する際の斜視図である。
【図１０】本発明を基礎ブロックとして使用する際の縦断面図である。
【発明を実施するための形態】
【００２３】
本発明ブロックは、エラストマー系のゴム材にて形成される支持ブロックであり、一つのブロック材で配管用ブロックや基礎ブロックとして兼用できるように構成したものである。
【００２４】
また本発明ブロックは、リップ溝型鋼製のチャンネル材Ｐを上面に設置する構成で、エラストマー系のゴム材でブロック体１を形成している。このゴム材を例えば廃タイヤ等のリサイクルゴムを使用することで、環境に配慮した使用が可能になる。
【００２５】
図示例のブロック体１は、断面逆Ｕ字状を成した形状である。このブロック体１の上面には、チャンネル材Ｐを水平に嵌入する水平凹部２と、チャンネル材Ｐを垂直に嵌入する垂直凹部３とが形成されている（図１参照）。
【００２６】
更に、水平凹部２の底部にチャンネル材Ｐをネジ止めする固定ボルト１０を設けている。この固定ボルト１０でチャンネル材Ｐをブロック体１にネジ止めするものである（図１参照）。図示例では、チャンネル材Ｐの底部から水平凹部２の底部にボルト挿通孔４を開穿している（図３参照）。そして、このボルト挿通孔４を貫通した固定ボルト１０に板ナット１１をネジ止めする。このとき、板ナット１１に嵌合する嵌合凹部５をブロック体１の下面に凹設することで、板ナット１１の緩みを防止している。尚、固定ボルト１０によるチャンネル材Ｐのネジ止め構造は図示例に限らず、例えば水平凹部２の底部に板ナット１１やその他の雌ネジを埋設することも可能である。
【００２７】
水平凹部２にチャンネル材Ｐを嵌入して固定すると、チャンネル材Ｐが水平になり、このチャンネル材Ｐの上に配管を固定する配管用ブロックとして使用することができる（図２参照）。この際、高さの異なるチャンネル材Ｐを水平凹部２に嵌入することで、配管用ブロックの高さを調整することが可能になる（図４参照）。また、２個のブロック体１をつなげるように長尺のチャンネル材Ｐを設置することで、多くの配管Ｑを固定することも可能になる（図５参照）。更に、配管Ｑに変えて鋼製トラフやケーブルラックなど他の長尺部材をチャンネル材Ｐに固定することも可能である（図示せず）。
【００２８】
チャンネル材Ｐの側面又は底面に係合孔Ｐ２を予め形成し、この係合孔Ｐ２に強制嵌合する嵌合突起２Ａを水平凹部２内に突設することも可能である（図６,７参照）。このように係合孔Ｐ２や嵌合突起２Ａを形成することで、水平凹部２内へのチャンネル材Ｐの固定作業を容易にすることができる。この嵌合突起２Ａは、水平凹部２の底面に形成することができる（図６参照）。また、水平凹部２の側面に嵌合突起２Ａを形成しても良い（図７参照）。更に、側面と底面との両方に嵌合突起２Ａを形成することも可能である。
【００２９】
一方、本発明ブロックを基礎ブロックとして用いる場合は、ブロック体１の垂直凹部３にチャンネル材Ｐを垂直に嵌入するものである（図９参照）。この垂直凹部３は、水平凹部２の底部から更に垂直に凹設されている（図１０参照）。図示例では、水平凹部２の長手中央から下方に延長したゴム材内部に垂直凹部３を形成している。また、垂直凹部３の底部には水抜き孔６を開穿している。この垂直凹部３に嵌入したチャンネル材Ｐは、アングル材２０を介してブロック体１に固定されている（図９参照）。
【００３０】
すなわち、垂直のチャンネル材Ｐを固定するために、側面Ｌ形のアングル材２０と、アングル材２０をネジ止めする固定ボルト１０と、アングル材２０をチャンネル材Ｐのリップ部Ｐ１に装着する止め具３０とを設けている（図８参照）。固定ボルト１０は、チャンネル材Ｐを水平凹部２の底部に固定する固定ボルト１０を使用する（図１０参照）。すなわち、水平凹部２の底部に形成したボルト挿通孔４に固定ボルト１０を挿通し、板ナット１１にネジトメする構成である。一方、アングル材２０は、水平片２１と垂直片２２とで側面Ｌ字状を成す部材で、各片夫々に、ねじ挿通孔２１Ａ、２２Ａを開穿したものである（図８参照）。
【００３１】
止め具３０は、リップ部Ｐ１の内側に係止する係止ナット３１と、この係止ナット３１にネジ止めする係止ボルト３２とで構成するものである（図８参照）。そして、チャンネル材Ｐのリップ部Ｐ１に係止した係止ナット３１に、アングル材２０を貫通する係止ボルト３２をネジ止めする（図１０参照）。
【００３２】
チャンネル材Ｐを固定するには、チャンネル材Ｐのリップ部Ｐ１側から水平凹部２の底部にかけてアングル材２０を配置する。その後、止め具３０を介してチャンネル材Ｐのリップ部Ｐ１とアングル材２０の垂直片２２とを連結する（図１０参照）。また、固定ボルト１０を介してアングル材２０の水平片２１と固定ボルト１０とを固定するものである。
【００３３】
このように垂直凹部３にチャンネル材Ｐを垂直に嵌入してブロック体１に固定すると、縦向きのチャンネル材Ｐを柱として使用することが可能になる。
しかも、チャンネル材Ｐのリップ部Ｐ１に連結したアングル材２０で強固に固定されているので、配管設置用の架台を設置する際に、本発明ブロックを支持強度に優れた基礎ブロックとして使用することが可能になる。また、チャンネル材Ｐの長さを変えることで、架台の高さも自由に調整することができる。
【００３４】
尚、本発明のブロック体１の形状やチャンネル材Ｐの構成等は図示例に限定されるものではなく、本発明の要旨を変更しない範囲での設計変更は自由である。
【符号の説明】
【００３５】
Ｐ  チャンネル材
Ｐ１  リップ部
Ｐ２  係合孔
１  ブロック体
２  水平凹部
２Ａ  嵌合突起
３  垂直凹部
４  ボルト挿通孔
５  嵌合凹部
６  水抜き孔
１０  固定ボルト
１１  板ナット
２０  アングル材
２１  水平片
２１Ａ  ねじ挿通孔
２２  垂直片
２２Ａ  ねじ挿通孔
３０  止め具
３１  係止ナット
３２  係止ボルト
【図１】
2018179179.tif 000003
【図２】
2018179179.tif 000004
【図３】
2018179179.tif 000005
【図４】
2018179179.tif 000006
【図５】
2018179179.tif 000007
【図６】
2018179179.tif 000008
【図７】
2018179179.tif 000009
【図８】
2018179179.tif 000010
【図９】
2018179179.tif 000011
【図１０】
2018179179.tif 000012